(57)【要約】      （修正有）【課題】束のペットボトルを冷温水機に適用することにより、水ボトルの反復的な使用に伴う水ボトルの内部の各種水垢、異物の発生と細菌の侵入、繁殖で到底摂取することができないほどの飲用水を供給することなく、消費者が良質の飲用水の提供を常に受けることができる。【解決手段】交換型収納ケース適用冷温水機は、通常の冷温水機１０の上端部のトップカバーを分離してから結合され、床面の上部に複数のウォーターガイド２１が所定の間隔で突出して設けられ、下部には水貯水槽に挿入結合される水ディスペンサーに具備された収納ケース２０と、収納ケース２０に装着され、ウォーターガイド２１に吐出口が結合されるように束ね手段によって束ね処理された複数のペットボトル４０と、を含んで利用される。【選択図】図１
2018095318.tif 000002
【特許請求の範囲】
【請求項１】
通常の冷温水機の上端部のトップカバーを分離してから結合され、床面の上部に複数のウォーターガイドが所定の間隔で突出して設けられ、下部には水貯水槽に挿入結合される水ディスペンサーに具備された収納ケースと、
前記収納ケースに装着され、前記ウォーターガイドに吐出口が結合されるように束ね手段によって束ね処理された複数のペットボトルと、を含んで利用されることを特徴とする交換型収納ケース適用冷温水機。
【請求項２】
前記束ね手段は、前記ペットボトルの吐出口と対応する床面の地点に複数の吐出口挿入穴が形成され、四方に前記ペットボトルを支持して固定されるように側壁面を有する箱型ペットガイドと、前記ペットガイドおよび前記複数のペットボトルを包む透明ビニールカバーと、で設けられることを特徴とする請求項１に記載の交換型収納ケース適用冷温水機。
【請求項３】
前記束ね手段は、前記ペットガイド、前記ビニールカバーおよび前記ペットボトルを包むように被せるカバーボックスをさらに含んで設けられることを特徴とする請求項２に記載の交換型収納ケース適用冷温水機。
【請求項４】
前記ウォーターガイドは、円形の頭部型のインナータイプ型に具備され、前記ペットボトルの吐出口には、衛生キャップ栓が結合され、前記水ディスペンサーの下部には、ボールタップが具備されることを特徴とする請求項１に記載の交換型収納ケース適用冷温水機。
【請求項５】
前記冷温水機の外部、前記束のペットボトル、前記収納ケースおよび前記ペットガイドの中のいずれか一つ以上の所定の位置に、供給者のミネラルウォーター製品を認識するＮＦＣタグを付着することを特徴とする請求項２または３に記載の交換型収納ケース適用冷温水機。
【請求項６】
前記束のペットボトルは、４つを基本とし、一束の容量は、６〜１２リットルの間であることを特徴とする請求項１に記載の交換型収納ケース適用冷温水機。
【請求項７】
前記ペットガイドは、高さが前記ペットボトルの長さの半分前後であり、幅が前記収納ケースの四方内側面と接触して挿入できる長さのサイズで製作されることを特徴とする請求項１に記載の交換型収納ケース適用冷温水機。
【請求項８】
前記ビニールカバーは、下部における前記ペットボトルの前記吐出口と対応する位置に切開線が形成されることを特徴とする請求項２または３に記載の交換型収納ケース適用冷温水機。
【請求項９】
前記収納ケースは、底上面の所定の位置に空気調整弁が設置されることを特徴とする請求項１に記載の交換型収納ケース適用冷温水機。
【請求項１０】
前記ペットボトルは、紙パックで代用して使用することを特徴とする請求項１に記載の交換型収納ケース適用冷温水機。
【請求項１１】
前記収納ケースは、一側面部の所定の位置に排水用穴が形成され、前記排水用穴に所定の大きさのビニール袋を折って連結することを特徴とする請求項１に記載の交換型収納ケース適用冷温水機。
【請求項１２】
前記収納ケースの下部に突出して形成された前記水ディスペンサーは、円形で、円筒形の前記水貯水槽の内部の上部にぴったりと嵌めて結合され、前記水ディスペンサーの外周縁部の上端部と前記水貯水槽の内周縁部の上端部との間にシリコン材質のパッキングが設けられ、前記水貯水槽に保存された水が上部に漏水することを防止するように構成されることを特徴とする請求項１に記載の交換型収納ケース適用冷温水機。
【発明の詳細な説明】
【技術分野】
【０００１】
本発明は、冷水と温水を提供するために必要な水をペットボトルに入れたミネラルウォーターとして供給する冷温水機に関するもので、より詳細には、既存の冷温水機のトップカバーを取り外してから、多数のウォーターガイドが具備された収納ケースをのせて、束になったペットボトルを逆さに結合して使用することができる冷温水機に関するものである。
【背景技術】
【０００２】
現在深刻な環境汚染により、飲料水の水質が徐々に悪化しているだけでなく、水道水に対する不信が高まるにつれ、ほとんどの家庭や飲食店、オフィスなどでは冷温水機を設置して使用している。
【０００３】
一般的に使用される冷温水機は、ＰＣ（ポリカーボネート）のような硬質でできた水ボトルを冷温水機本体の上板に設けられたトップカバーの水ボトル挿入口に吐出口が挿入されるように装着する。
【０００４】
しかし、上記のような従来の冷温水機の水ボトルは、次のような問題点を有する。
【０００５】
第一に、水ボトルを繰り返し使用することにより、水ボトルの内部に各種水垢、異物質などが生成され、細菌などが侵入、繁殖するだけでなく、水ボトルの疎かな管理のために到底摂取することができないほどの飲用水を供給することになる問題点があった。
【０００６】
第二に、これを解決するために、水ボトルの洗浄、管理をこまめに清潔にしたとしても、これは水ボトルの頻繁な洗浄、交換等が必ず伴わなければならないことから、洗浄や交換のコストが増加するようになるという問題点があった。
【発明の概要】
【発明が解決しようとする課題】
【０００７】
本発明は、上述のような問題点を解決するためのもので、使い捨てのペットボトルを冷温水機に適用することにより、水ボトルの反復的な使用に伴う様々な問題点、水ボトルの洗浄、交換に伴う過多な費用の消耗問題などを解決できるようにすることを課題とする。
【０００８】
また、他の発明の目的は、既存の冷温水機のトップカバーを取り外してから、ケースを設置して使用できるように、互換性があって、別の冷温水機を製作するコストを削減することができるようにすることを課題とする。
【０００９】
また、他の発明の目的は、容量が小さいペットボトルの使用で、取り扱いが容易で、ミネラルウォーターがペットボトルの内部で停滞する時間が短縮されるため、常に汚染されていないミネラルウォーターを摂取することができるようにすることを課題とする。
【課題を解決するための手段】
【００１０】
上記の目的を達成するため、本発明は、
【００１１】
通常の冷温水機（10）の上端部のトップカバーを分離してから結合され、床面の上部に複数のウォーターガイド（21）が所定の間隔で突出して設けられ、下部には水貯水槽（90）に挿入結合される水ディスペンサーに具備された収納ケース（20）と、
【００１２】
収納ケース（20）に装着され、ウォーターガイド（21）に吐出口（41）が結合されるように束ね手段（200）によって束ね処理された複数のペットボトル（40）と、を含んで具備された交換型収納ケース適用冷温水機を提供することにより、本発明の目的は達成される。
【００１３】
ここで、束ね手段（200）は、ペットボトル（40）の吐出口（41）と対応する床面の地点に複数の吐出口挿入穴（31）が形成され、四方にペットボトル（40）を支持して固定されるように側壁面を有する箱型ペットガイド（30）と、ペットガイド（30）および複数のペットボトル（40）を包む透明ビニールカバー（50）と、で設けることもできる。
【００１４】
束ね手段（200）は、ペットガイド（30）、ビニールカバー（50）およびペットボトル（40）を覆うように被せるカバーボックス（60）をさらに含むこともできる。
【００１５】
ウォーターガイド（21）は、円形の頭部型のインナータイプ型に具備され、上記ペットボトル（40）の吐出口に結合されるストッパー（43）は、衛生キャップ（42）として設けられ、水ディスペンサー（70）の下部にボールタップ（80）が備えられることもある。
【００１６】
冷温水機（10）の外部、束のペットボトル（40）、収納ケース（20）およびペットガイド（30）のうちの少なくともいずれか一つ以上の所定の位置に、供給者のミネラルウォーター製品を認識するＮＦＣタグ（22）を取り付けることもできる。
【００１７】
束のペットボトル（40）は、４つを基本としてなされ、一束の容量は、６〜１２リットルの間で設けることもできる。
【００１８】
ペットガイド（30）は、高さがペットボトル（40）の長さの半分前後であり、幅が収納ケース（20）の四方内側面と接触して挿入できる長さのサイズで製作することもできる。
【００１９】
ビニールカバー（50）は、下部におけるペットボトルの吐出口（41）と対応する位置に切開線（51）が形成されるようにすることもできる。
【００２０】
ミネラルウォーターのボトルは、ペットボトルや紙パックで適用されるようにすることもできる。
【００２１】
収納ケース（20）は、一側面部の所定の位置に排水用穴（25）が形成され、排水用穴（25）に所定の大きさのビニール袋（26）を折ってつなぐこともできる。
【００２２】
収納ケースの下部に突出して形成された水ディスペンサーは、円形で、円筒形の水貯水槽の内部の上部にぴったり嵌めて結合され、水ディスペンサーの外周縁部の上端部と水貯水槽の内周縁部の上端部との間にシリコン材料のパッキングが設置され、水貯水槽に保存された水が上部に漏れることを防止するようにすることもできる。
【発明の効果】
【００２３】
本発明によれば、束のペットボトルを冷温水機に適用することにより、第一に、水ボトルの反復的な使用に伴う水ボトルの内部の各種水垢、異物の発生と細菌の侵入、繁殖で到底摂取することができないほどの飲用水を供給することなく、消費者が良質の飲用水の提供を常に受けることができる効果があり、
【００２４】
第二に、既存の冷温水機のトップカバーを取り外し、ケースを設置して使用できるように互換性があり、別の冷温水機を製作する費用も削減することができ、
【００２５】
第三に、容量が小さいペットボトルの使用で、取り扱いが容易であり、ミネラルウォーターがペットボトルの内部に停滞する時間が短縮されるため、常に汚染されていない水を摂取することができる効果がある。
【図面の簡単な説明】
【００２６】
【図１】図１は、本発明に係る斜視図である。
【図２】図２は、本発明による分離斜視図である。
【図３】図３は、本発明の縦断面図である。
【図４】図４は、図３の分離断面図である。
【図５】図５は、本発明に係るペットボトルの吐出口に衛生キャップが結合された状態の縦断面図で、（ａ）は、ウォーターガイドが吐出口に挿入される前の断面図であり、（ｂ）は、ウォーターガイドが吐出口に挿入された後の断面図である。
【図６】図６は、本発明の他の実施例の分離斜視図である。
【発明を実施するための形態】
【００２７】
以下、図面を参照して、本発明についてより詳細に説明することにする。
【００２８】
図１〜図４に示すように、通常の冷温水機（10）の上端部に結合されたトップカバーを外した後、床面上部に複数のウォーターガイド（21）が所定の間隔で突出して設置され、下部には、水貯水槽（90）に挿入結合されて、ペットボトル内のミネラルウォーターがウォーターガイド（21）を介して流入する水を水貯水槽（90）に移動されるようにした水ディスペンサー（70）に備えられた収納ケース（20）が結合され、
【００２９】
上記収納ケース（20）に逆に装着されてウォーターガイド（21）に吐出口（41）が結合されるように束ね手段（200）によって束ね処理された複数のペットボトル（40）で構成されている。
【００３０】
上記収納ケース（20）は、一般的に流通している冷温水機（10）の上部に結合設置されたトップカバー（図示されていない）と互換するように製作してトップカバーを分離してから、交換して設置する。
【００３１】
上記収納ケース（20）の下部には、複数のウォーターガイド（21）から流入される水を水貯水槽（90）に移動するための水ディスペンサー（70）を含む所定の部分を水貯水槽の内部に結合されるように円形に設けることで、既存の冷温水機に設置された円筒状の水貯水槽にしっかり嵌めて結合され、上記収納ケースの下部円形の水ディスペンサー内周縁部にシリコン材質のパッキング（91）が設置されており、水貯水槽（90）から上部に漏水することを防止するようにする。
【００３２】
また、収納ケース（20）の側面部には、所定の位置に排水用穴（25）が形成され、排水用穴（25）に所定の大きさのビニール袋（26）を折って連結してペットボトル（40）から水が出てきて収納ケース（20）にあふれた場合、あふれた水が、上記排水用穴（25）を介して水が排出されるとともに、ビニール袋（26）に流入して広がるようになる。
【００３３】
漏水した水の入ったビニール袋（26）から水を捨てて再利用する。
【００３４】
上記ビニール袋（26）は、１２リットル以上のサイズのものを使用する。
【００３５】
また、上記収納ケース（20）は、床の上面の所定の位置に空気調整弁（27）を設置する。
【００３６】
ペットボトルは厚さが薄いため、空気がなくてもつぶれながら水が出て、最後の残量の水は、空気調節弁を開けば、自動的に水が出るようになるが、消費者の使用頻度に応じて、空気調節弁（27）を選択できるようにする。
【００３７】
すなわち、使用頻度の少ない家庭では、空気調節弁（27）をロックした状態で使用してペットボトル（40）内に水を長期使用することに伴う汚染を防止して、使用頻度の多いオフィスなどの公共の場所では、空気調節弁（27）の開閉状態を調節しながら使用する。
【００３８】
上記収納ケース（20）は、正方形の形で行われるのが原則とすることや、時には冷温水機（10）のトップカバーの形状に応じて、円筒など、様々な形状に変更することもできる。
【００３９】
上記ウォーターガイド（21）は、上端部が丸い頭型で形成されたインナータイプ型に設けられ、上部一側には、空気流入口（24）が設けられ、他側には水流入口（23）が形成される。
【００４０】
上記収納ケース（20）に設けられたウォーターガイド（21）には、市場で流通しているペットボトル（40）を逆に立てて吐出口が結合されるようにするが、本発明では、ペットボトル（40）を、４つを基準に束ね処理して１つのミネラルウォーター製品として包装する。
【００４１】
上記束ね手段（200）は、上記ペットボトル（40）の吐出口と対応する床面の地点に複数の吐出口挿入穴（31）が形成され、四方にペットボトルを支持して固定されるように側壁面を有する箱型ペットガイド（20）と、ペットガイド（20）および複数のペットボトル（40）を包み込む透明ビニールカバー（50）で設け、あるいは、ペットガイド（20）、ビニールカバー（50）およびペットボトル（40）を覆うように被せるカバーボックス（60）で設けられている。
【００４２】
一束のペットボトル（40）は、４つを基本にし、一束の容量は８リットル以下で使用することを基本とするものや、時には６個から９個のペットボトル（40）を一束として設けることができる。
【００４３】
ペットボトル（40）の材質は、合成樹脂材（特にPET：polyethylene terephthalate）で使用することが望ましいが、時には紙の材質でできたパックとして使用することもできる。
【００４４】
本発明ではペットボトル（40）をひとまとまりに梱包する方法は、
【００４５】
第一に、４つのペットボトル（40）をペットボトルの吐出口が下部に向かうように逆さに立て、上記吐出口挿入穴（31）が形成された箱型のペットガイド（30）にペットボトルの吐出口が突出されるように結合し、
【００４６】
第二に、ペットガイドとこれに結合されたペットボトルをすべて含んだ状態で、透明ビニールでタッピング処理して一つにし、
【００４７】
第三に、ペットボトルや紙パックを外部の気温の影響を受けることを最大限に保護しながら、一定の温度を維持するために、保護カバーのカバーボックスをかぶせる。
【００４８】
本発明では、ペットボトル（40）をひとまとまりに包装する別の方法は、
【００４９】
第一に、４つのペットボトル（40）をペットボトル吐出口が下部に向かうようにして逆さに立て、上記吐出口挿入穴（31）が形成された箱型のペットガイド（30）にペットボトルの吐出口が突出されるように結合し、
【００５０】
第二に、ペットガイドとこれに結合されたペットボトルをすべて含んだ状態で、薄い紙箱に入れ、
【００５１】
第三に、ペットガイドとペットボトルや紙箱を一緒に透明ビニールでタッピング処理して一つに結合する。
【００５２】
第四に、収納ケースに逆向きに立てて、挿入結合された束ねペットボトルまたは紙パックを外部の気温の影響を受けることを最大限保護しながら、一定の温度を維持するために、保護カバーのカバーボックスをかぶせる。
【００５３】
また、上記カバーボックスは、ペットボトルの水に太陽の直射光から遮断されるようにする役割も果たす。
【００５４】
上記カバーボックス（60）の外部面には、広告用の文字を印刷して使用することもできる。
【００５５】
上記ペットガイド（30）は、床面におけるペットボトル（40）の吐出口と対応する位置に吐出口挿入穴（31）が形成されて斜側面に壁面を形成して、ペットボトルとペットボトルを固定し、収納ケース（20）に揺れることないように挿入されるようにして、挿入した後、ペットボトルの倒れ防止や動かないようにする役割を果たす。
【００５６】
ペットガイド（30）は、高さがペットボトル（40）の長さの半分程度が最も適しており、幅はペットボトル（40）が収納ケース（20）に挿入されてペットボトルの吐出口（41）がウォーターガイド（21）に結合しやすいように収納ケース（20）の内部面と接触する大きさに製作する。
【００５７】
ペットガイド（30）は、発泡スチロールやプラスチック材料を使うことができる。
【００５８】
一方、上記ペットボトル（40）の吐出口（41）には、ボトルキャップ（43）が結合されるが、ボトルキャップ（43）の入口にウォーターガイドが入るときに開き、使用途中又は全部使用した後、ペットボトルを除去するときに残水が流れ出てこない復帰型衛生キャップ（42）を使用している。
【００５９】
ペットボトルは、薄く、よく破れて、気温差に敏感なので、圧力が生じ、水を押し出してあふれるようにすることを防止すると共に、ペットボトル（40）から排出される水が水貯水槽の水位に達すると、水の流入を遮断するように上記水ディスペンサー（70）の下部には、ボールタップ（80）が設置される。
【００６０】
上記冷温水機の外部、または束ねペットボトル（40）の所定の位置または収納ケース（20）またはペットガイドの中のいずれかの一つの所定の位置に供給者のミネラルウォーター製品を認識するＮＦＣタグ（22）を取り付けて、衛生的で安全な水を供給するために供給者を認証するように、電子タグ方式を適用するようにする。
【００６１】
また、供給者の冷温水機販売またはレンタルの現状を把握し、供給者が提供するミネラルウォーターのみ使用できるようにする。
【００６２】
上記のような本発明は、ペットやパックになったペットボトルの使用を停止し、再び既存の１８．９リットルのミネラルウォーターを飲むことができるようトップカバーを交換して使用できるように互換性を持つように製作する。
【００６３】
このように、本発明は、束ねペットボトルを冷温水機に適用することにより、水ボトルの反復的な使用に伴う水ボトルの内部の各種水垢、異物の発生と細菌の侵入、繁殖で到底摂取することができないほどの飲用水を供給せずに、消費者が良質の飲用水の提供を常に受けることができ、既存の冷温水機のトップカバーを取り外し、ケースを設置して使用できるように互換性があり、別の冷温水機を製作するコストを削減することができ、容量が小さいペットボトルの使用で、取り扱いが容易であり、ミネラルウォーターがペットボトルの内部に停滞する時間が短縮されるため、常に汚染されていない水を摂取することができる有益な発明である。
【００６４】
以上のように、本発明は、上述した特性の望ましい実施例に限らず、請求の範囲で請求する本発明の要旨を逸脱することなく、当該発明が属する分野で、通常の知識を有する者であれば、誰でも様々な変動実施が可能である。
【符号の説明】
【００６５】
10：冷温水機          20：収納ケース
21：ウォーターガイド  22：ＮＦＣタグ
23：水流入口          24：空気流入口
25：排水用穴          26：ビニール袋
27：空気調整弁
30：ペットガイド      31：吐出口挿入穴
40：ペットボトル      41：吐出口
42：衛生キャップ      43：ストッパー
50：ビニールカバー    51：切開線
60：カバーボックス    70：水ディスペンサー
80：ボールタップ      90：水貯水槽
91：パッキング        100：薄いカバーボックス（100）
200：束ね手段
【図１】
2018095318.tif 000003
【図２】
2018095318.tif 000004
【図３】
2018095318.tif 000005
【図４】
2018095318.tif 000006
【図５】
2018095318.tif 000007
【図６】
2018095318.tif 000008